(57)【要約】【課題】配信データを保持するデータ配信サーバに接続して前記データを優先的に単独購入できるデータ配信システムの提供。【解決手段】配信データをそのデータベースに保持する管理者のデータ配信サーバ１１と、インターネット等の通信回線を介して該データ配信サーバに接続する利用者の第１情報端末１２とを備え、前記データ配信サーバ１１は、配信データごとに、利用者が単独で購入できる単独購入ボタンと複数人で購入できる共同購入ボタンとを設定し、該データ配信サーバ１１から第１情報端末１２の表示手段に単独購入ボタン及び共同購入ボタンを表示させたことを特徴とするデータ配信システム。【選択図】  図１
2008102725.tif 000002
【特許請求の範囲】
【請求項１】
配信データをそのデータベースに保持する管理者のデータ配信サーバと、
インターネット等の通信回線を介して該データ配信サーバに接続する利用者の第１情報端末とを備え、前記データ配信サーバは、配信データごとに、
利用者が単独で購入できる単独購入ボタンと複数人で購入できる共同購入ボタンと、
を設定し、
該データ配信サーバから第１情報端末の表示手段に単独購入ボタン及び共同購入ボタンを表示させ、
利用者が第１情報端末から共同購入ボタンに入力した場合には、該配信データについて該利用者が共同で購入するものとして処理し、
共同購入枠に表示されているカウンタ数が予め設定した共同購入可能人数と一致するまで共同購入ボタンからの入力を受入れ、
利用者が第１情報端末から単独購入ボタンに入力した場合には、該配信データについて該利用者が単独で購入するものとして処理し、
前記共同購入枠に表示されているカウンタ数の数値にかかわらず前記共同購入ボタンからの入力を拒否するようにしたことを特徴とするデータ配信システム。
【請求項２】
前記配信データが、楽曲データであることを特徴とする請求項１に記載のデータ配信システム。
【請求項３】
前記配信データが、音声又は文字データであることを特徴とする請求項１に記載のデータ配信システム。
【発明の詳細な説明】
【技術分野】
【０００１】
本発明はインターネットなどの通信回線を介して複数の情報端末とデータ配信サーバとの間を接続したデータ配信システムに関する。特に、データが歌入りの曲やカラオケなどの楽曲データ、詞・文章などの音声又は文字データである場合のデータ配信システムに関する。
【背景技術】
【０００２】
ネットワークを介してサーバから楽曲をダウンロードすることを可能にしたデータ配信システムが知られている（例えば特許文献１）。このデータ配信システムにおいて、利用者は、ネット上に存在する多数の楽曲の中から聴きたい楽曲を探し出してダウンロードする。楽曲を聴く利用者には、音楽ランキングや新譜情報などを参考に自分の好みに合った楽曲を選出する人もいる。
【特許文献１】特開２００２−７４８１４号公報
【発明の開示】
【発明が解決しようとする課題】
【０００３】
しかし、このようなデータ配信システムは、多数の人にダウンロードされることを前提に組み立てられたシステムであり、利用者の中には、単独又は少数のみがダウンロードできるものであることを望む利用者もいる。
そこで、本発明は、歌入りの曲やカラオケなどの楽曲データ、詞・文章などの言語又は文字データなどのデータを、単独又は少数の複数人に配信するシステムを提供することを目的とする。
【課題を解決するための手段】
【０００４】
本発明のデータ配信システムは、配信データをそのデータベースに保持する管理者のデータ配信サーバと、インターネット等の通信回線を介して該データ配信サーバに接続する利用者の第１情報端末とを備え、前記データ配信サーバは、配信データごとに、利用者が単独で購入できる単独購入ボタンと複数人で購入できる共同購入ボタンと、を設定し、
該データ配信サーバから第１情報端末の表示手段に単独購入ボタン及び共同購入ボタンを表示させ、利用者が第１情報端末から共同購入ボタンに入力した場合には、該配信データについて該利用者が共同で購入するものとして処理し、共同購入枠に表示されているカウンタ数が予め設定した共同購入可能人数と一致するまで共同購入ボタンからの入力を受入れ、利用者が第１情報端末から単独購入ボタンに入力した場合には、該配信データについて該利用者が単独で購入するものとして処理し、前記共同購入枠に表示されているカウンタ数の数値にかかわらず前記共同購入ボタンからの入力を拒否するようにしたことを特徴とする。
本発明においては、このようなデータ配信システムにあって、前記配信データが、楽曲データや音声又は文字データであることも特徴とする。
【発明の効果】
【０００５】
本発明のデータ配信システムによれば、配信データを保持するデータ配信サーバに接続して前記データを優先的に単独購入できるので、購入希望が強い場合に単独購入ボタンから入力することでそのデータを確実に購入できる。
また、共同購入者の購入希望者の数値の変化の様子をみて、遅れながらでも単独購入ボタンから入力することで共同購入希望者を排除してそのデータを独占的に購入できる。
【発明を実施するための最良の形態】
【０００６】
本実施形態のデータ配信システムは、管理者が有するデータ配信サーバと、通信回線を介してデータ配信サーバに接続する利用者の第１情報端末とを備える。前記データ配信サーバの記憶部には、配信データを有する。これによって、楽曲などの配信データを保持しておき、利用者は第１情報端末から、歌入りの曲やカラオケなどの楽曲データ、詞・文章などの言語又は文字データなどのデータ、及び／又はその試聴用データなどの配信データを試聴やダウンロードなどをすることができる。
本実施形態のデータ配信システムにおいては、データ配信サーバは、例えば歌入りの曲やカラオケなどの楽曲データの配信データごとに、利用者が単独で購入できる単独購入ボタンと複数人で購入できる共同購入ボタンと、を設定し、該データ配信サーバから第１情報端末の表示手段に単独購入ボタン及び共同購入ボタンを表示させ、利用者が第１情報端末から共同購入ボタンに入力した場合には、配信データについて利用者が共同で購入するものとして処理し、共同購入枠に表示されているカウンタ数が予め設定した共同購入可能人数と一致するまで共同購入ボタンからの入力を受入れ、利用者が第１情報端末から単独購入ボタンに入力した場合には、配信データについて利用者が単独で購入するものとして処理し、共同購入枠に表示されているカウンタ数の数値にかかわらず共同購入ボタンからの入力を拒否するようにしたことを特徴とする。
【０００７】
データ配信サーバは、第１情報端末に、詳細表示ボタンを表示させ、利用者がその詳細表示ボタンを押すことにより楽曲の内容詳細説明の欄を表示させたり、試聴ボタンを表示させ、利用者に一定時間楽曲データを試聴させることもできる。この場合は、データ配信サーバは、データ配信サーバ内に設けた試聴データベースを起動させて、出力装置を起動して利用者に配信する。
また、利用者が第１情報端末から単独購入ボタンを押して独占購入の意思を示したときには、利用者の第１情報端末に独占購入条件を表示させて、独占購入する場合の詳細事項を表示させることもできる。
さらに、利用者が第１情報端末から共同購入ボタンを押して共同購入の意思を示したときには、データ配信サーバは、利用者の第１情報端末に共同購入条件を表示させて、共同購入する場合の詳細事項を表示させることもできる。
本実施の形態のデータ配信サーバは、単独購入の場合を優先するものであり、単独購入ボタンが押された時点で、当該データについて販売を終了し、第１情報端末に表示させたデータ販売リストの中から、当該配信データのリスト表示を削除し売却済みリストに移動させる。
なお、楽曲データ、詩などを朗読した音声データ、小説などの文字データなどの配信データは、登録会員（作曲家や作詞家、朗読者など）が自己の有する第２情報端末よりデータ配信サーバにアップロードすることもできる。
【実施例】
【０００８】
図１は、本発明のデータ配信システムの一実施例を説明したものであり、楽曲データを配信する楽曲データ配信システムとして実施した場合の説明図である。以下、図面を参照して本発明の実施例について詳細に説明する。
図１において、１０は本実施例の楽曲データ配信システムであり、楽曲データなどの配信データを保持する楽曲データ配信サーバ１１を備え、利用者（購入者）が、第１情報端末１２からインターネット１３を介して楽曲データ配信サーバ１１に接続して、楽曲データ配信サーバ１１に登録されている楽曲データのリストを表示させ、表示された楽曲データのリストの中から、試聴用の楽曲データを試聴したり、楽曲データの購入意思を入力することができる。
また、作曲家や作詞家などの登録会員が第２情報端末１４より楽曲データ配信サーバ１１に接続して、自己の楽曲データを楽曲データ配信サーバ１１にアップロードすることもできる。
【０００９】
図２は、楽曲データ配信サーバ１１の構成を示す概略図である。図２において、楽曲データ配信サーバ１１は、楽曲データを記憶するためのデータベース２０を備え、データベース２０には、全曲の楽曲データを有する楽曲データベースと、楽曲データの一部からその試聴用データを保持する試聴用データベースを有する。
また、楽曲データ配信サーバ１１は楽曲の内容を記憶したテーブルを有し、第１情報端末にリストとして表示させる。
テーブルとしては、データベース２０に記録した楽曲データの楽曲名等を記録した曲名テーブル、楽曲データの作詞家の氏名等を記録した作詞家テーブル、楽曲データの作曲家の氏名等を記録した作曲家テーブル、楽曲データの購入希望を示した利用者の氏名等を記録した顧客テーブル、などがある。
さらに、楽曲データ配信サーバ１１は前記テーブルから楽曲の内容を検索できる検索項目を有し、第１情報端末にリストとして表示させる。
【００１０】
検索項目としては、登録した楽曲データの登録番号である楽曲登録番号、登録した楽曲データの曲名の情報、登録した楽曲データの作曲家の情報、登録した楽曲データの作詞家の情報、登録した楽曲データの内容について記録したイメージキーワード、登録した楽曲データの種類について記録したカテゴリー、登録した楽曲データの単独購入又は共同購入の価格、登録した楽曲データの購入期限、などがあり、利用者は、第１情報端末からこれらの項目を選択して目的の楽曲を検索できる。
なお、楽曲データ配信サーバ１１は、インターネット１３を介して利用者の第１情報端末１２や第２情報端末１４などとの通信を行ってその全体動作を制御するための制御部などを有する。
【００１１】
第１情報端末１２は、利用者の自宅やカラオケ教室、カラオケホール、店舗などにインターネット１３などの通信回線を介して楽曲データ配信サーバ１１と通信可能に設けられている。第１情報端末１２は、キーボードやマウス、モニタなどの入出力部が設けられている。
【００１２】
次に、以上のように構成された楽曲データ配信システム１０において適用される楽曲データ配信の内容を説明する。
図３は、実施例の楽曲データ配信のシステムの流れを説明したフローチャートである。図３において、利用者が第１情報端末から楽曲配信サーバにアクセスすると、楽曲配信サーバは、第１情報端末に、楽曲データのテーブルのうち、曲名テーブルから、曲名と関連づけられた作曲家、作詞家の一覧をリストとして表示させ、その曲名について単独購入ボタン及び共同購入ボタンを表示させる。
楽曲配信サーバは、利用者の第１情報端末に表示された購入ボタンのうち、単独購入ボタンが押された場合（Ｓ１のＹｅｓ）は、その楽曲についての単独購入として処理し、購入決定（Ｓ４）とする。
【００１３】
単独購入ボタンが押されずに、共同購入ボタンが押された場合は（Ｓ１のＮｏ）、共同購入枠に表示されているカウンタ数をプラス１し（Ｓ２、ＣＮＴ＝ＣＮＴ＋１の演算を実行する）、予め共同購入枠として設定した数値（ｎ）と比較し、プラス１されたカウンタ数がｎを超えないかどうか判断する（Ｓ３）。プラス１されたカウンタ数が、ｎと一致するか超えるまで共同購入ボタンからの入力を受入れる（Ｓ３のＮｏ）。
楽曲配信サーバは、共同購入枠のカウンタ数がｎと一致した時点で、当該楽曲データについて共同購入として購入決定の処理をする（Ｓ４）。
【００１４】
なお、共同購入枠に、共同購入希望者が当該楽曲データを購入希望するとして、共同購入ボタンを押して１以上のカウンタ数が表示されていた場合であっても、単独購入希望者が単独購入ボタンを押した場合は、それ以上の共同購入ボタンからの入力を拒否し、単独購入希望者を優先して処理する。
そして、楽曲配信サーバは、購入決定として処理された場合は、購入決定とした楽曲の
楽曲登録番号リストの表示を売却済リストに移動させ、購入対象のリストから削除する。
【産業上の利用可能性】
【００１５】
本発明のデータ配信システムは、インターネットなどの通信回線を通じて、配信データを保持するデータ配信サーバに接続して、歌入りの曲やカラオケなどの楽曲データ、詞・文章などの音声又は文字データなどの配信データを優先的に単独購入できるので、単独購入ボタンから入力することでそのデータを確実に購入できる。
また、共同購入者の購入希望者の数値の変化の様子をみて、遅れながらでも単独購入ボタンから入力することで共同購入希望者を排除してそのデータを独占的に購入できるので産業上の利用可能性が大きい。
【図面の簡単な説明】
【００１６】
【図１】本発明の一実施例である楽曲データ配信システムとして実施した場合の説明図である。
【図２】本発明の一実施例を示す楽曲データ配信サーバの構成を示す概略図である。
【図３】本発明の一実施例を示す楽曲データ配信のシステムの流れを説明したフローチャートである。
【符号の説明】
【００１７】
１０    実施例のデータ配信システム
１１    データ配信サーバ（楽曲データ配信サーバ）
１２    第１情報端末
１３    インターネット
１４    第２情報端末
２０    データベース
【図１】
2008102725.tif 000003
【図２】
2008102725.tif 000004
【図３】
2008102725.tif 000005